(57)【要約】【課題】モアレ除去やエッジ強調などの画像パラメータの設定を効率的に行う。【解決手段】黒以外の色で描かれた画像データ１００に対し、モアレ除去パラメータの値を固定にしてエッジ強調パラメータの値を変移させ、エッジ強調パラメータの値を求めるエッジ強調工程と、所定の線数のモアレを含む画像データ１１０に対し、エッジ強調パラメータの値を固定にしてモアレ除去パラメータの値を変移させ、モアレ除去パラメータの値を求めるモアレ除去工程と、からなり、モアレ除去パラメータの値を初期値に設定し、第１のエッジ強調パラメータを求めるエッジ強調工程Ｓ１００を行い、エッジ強調パラメータとして第１のエッジ強調パラメータを設定し、第１のモアレ除去パラメータを求めるモアレ除去工程Ｓ１１０を行い、モアレ除去パラメータとして第１のモアレ除去パラメータを設定し、第２のエッジ強調パラメータを求めるエッジ強調工程Ｓ１２０を行う。【選択図】図５
2007124287.tif 000002
【特許請求の範囲】
【請求項１】
原稿を入力装置から読み込んだ画像データに対し、前記画像データのモアレを除去する
ためのモアレ除去パラメータと、前記画像データのエッジを強調するためのエッジ強調パ
ラメータと、からなる画像調整パラメータをエッジ強調レベルおよびモアレ除去レベルの
優先度に応じて調整し設定するための画像調整方法において、
黒色以外の色で描かれた画像を前記入力装置から読み込んだ第１の画像データに対し、
前記モアレ除去パラメータの値を固定にして前記エッジ強調パラメータの値を変移させ、
前記第１の画像データのエッジ部分の画素が黒くならない最大の前記エッジ強調パラメー
タの値を求めるエッジ強調工程と、
所定の線数のモアレを含む画像を前記入力装置から読み込んだ第２の画像データに対し
、エッジ強調パラメータの値を固定にして前記モアレ除去パラメータの値を変移させ、前
記第２の画像データのモアレを除去できる前記モアレ除去パラメータの値を求めるモアレ
除去工程と、からなり、
第１工程として、前記モアレ除去パラメータの値を初期値に設定し、前記エッジ強調パ
ラメータである第１のエッジ強調パラメータを求める前記エッジ強調工程を行い、
続く第２工程として、前記エッジ強調パラメータとして前記第１のエッジ強調パラメー
タを設定し、前記モアレ除去パラメータである第１のモアレ除去パラメータを求める前記
モアレ除去工程を行い、
続く第３工程として、前記モアレ除去パラメータとして前記第１のモアレ除去パラメー
タを設定し、前記エッジ強調パラメータである第２のエッジ強調パラメータを求める前記
エッジ強調工程を行う、
ことを特徴とする画像調整方法。
【請求項２】
原稿を入力装置から読み込んだ画像データに対し、前記画像データのモアレを除去する
ためのモアレ除去パラメータと、前記画像データのエッジを強調するためのエッジ強調パ
ラメータと、前記画像データの無彩色を調整する無彩色パラメータと、からなる画像調整
パラメータをエッジ強調レベルおよびモアレ除去レベルの優先度に応じて調整し設定する
ための画像調整方法において、
黒色以外の色で描かれた画像を前記入力装置から読み込んだ第１の画像データに対し、
前記モアレ除去パラメータの値と前記無彩色パラメータの値を固定にして前記モアレ除去
パラメータの値を変移させ、前記第１の画像データのエッジ部分の画素が黒くならない最
大の前記エッジ強調パラメータの値を求めるエッジ強調工程と、
所定の線数のモアレを含む画像を前記入力装置から読み込んだ第２の画像データに対し
、前記エッジ強調パラメータの値と前記無彩色パラメータの値を固定にして前記モアレ除
去パラメータの値を変移させ、前記第２の画像データのモアレを除去できる前記モアレ除
去パラメータの値を求めるモアレ除去工程と、
黒文字のみで描かれた画像を前記入力装置から読み込んだ第３の画像データに対し、前
記モアレ除去パラメータの値と前記エッジ強調パラメータの値を固定にして前記無彩色パ
ラメータの値を変移させ、前記第３の画像データの黒文字が全て無彩色となる前記無彩色
パラメータの値を求める無彩色チェック工程と、からなり、
第１工程として、前記モアレ除去パラメータの値を初期値に設定し、前記無彩色パラメ
ータの値を初期値に設定し、前記エッジ強調パラメータである第１のエッジ強調パラメー
タを求める前記エッジ強調工程を行い、
続く第２工程として、前記エッジ強調パラメータとして前記第１のエッジ強調パラメー
タを設定し、前記モアレ除去パラメータである第１のモアレ除去パラメータを求める前記
モアレ除去工程を行い、
続く第３工程として、前記モアレ除去パラメータとして前記第１のモアレ除去パラメー
タを設定し、前記エッジ強調パラメータである第２のエッジ強調パラメータを求める前記
エッジ強調工程を行い、
続く第４工程として、前記モアレ除去パラメータとして前記第１のモアレ除去パラメー
タを設定し、前記エッジ強調パラメータとして前記第２のエッジ強調パラメータを設定し
、前記無彩色パラメータである第１の無彩色パラメータを求める前記無彩色チェック工程
を行い、
続く第５工程として、前記モアレ除去パラメータとして前記第１のモアレ除去パラメー
タを設定し、前記無彩色パラメータとして前記第１の無彩色パラメータを設定し、前記エ
ッジ強調パラメータである第３のエッジ強調パラメータを求める前記エッジ強調工程を行
う、
ことを特徴とする画像調整方法。
【請求項３】
請求項１または２に記載の画像調整方法において、前記モアレ除去レベルを優先させる
場合は、請求項１に記載の画像調整方法を行い、前記エッジ強調レベルを優先させる場合
は、請求項２に記載の画像調整方法を行う、ことを特徴とする画像調整方法。
【請求項４】
請求項１から３のいずれか一項に記載の画像調整方法により画像調整を行うことを特徴
とする画像調整装置。
【請求項５】
請求項１から３のいずれか一項に記載の画像調整方法により画像調整を行うことを特徴
とする画像調整プログラム。
【発明の詳細な説明】
【技術分野】
【０００１】
本発明は、原稿から読みとった画像に対してモアレを軽減させ、さらにエッジを強調さ
せる画像調整パラメータを原稿の種類毎に設定する画像調整方法、画像調整装置および画
像調整プログラムに関する。
【背景技術】
【０００２】
反射原稿スキャナ等の入力装置と、デジタルプリンタとからなる画像形成システムを用
いて、入力装置から取り込んだ画像をデジタルプリンタで記録用紙にプリントすることが
知られている。デジタルプリンタとしては、銀塩写真式、熱現像感光材料式、熱記録式、
インクジェット式等が用いられる。
【０００３】
反射原稿スキャナは、中間調画像や文字を印刷した印刷物、写真プリント等の原稿に光
を照射し、原稿で反射した光をラインセンサで読みとって画像信号を出力するものである
。ラインセンサは、所定間隔で配列された多数の光電センサから構成されている。この反
射原稿スキャナから出力される画像信号に基づいて文字、中間調画像、図形等の画像をプ
リントすると、プリントされた画像にモアレ（干渉縞）が生じてしまうことがある。この
モアレは、各光電センサのピッチに応じて決まるサンプリング周波数と画像の空間周波数
との比率に起因して生じることが知られている。
【０００４】
原稿の内容としては写真画像等の中間調画像や文字等があるが、モアレは、画像の空間
周波数の高域部分、すなわち、中間調画像の細かな模様の部分で特に目立つ。このため、
従来のモアレ処理では、主として空間周波数の高域部分を減少させるローパスフィルタ（
ＬＰＦ）を用いてモアレ処理を施して、再現された画像のモアレを軽減している。
【０００５】
しかしながら、従来のローパスフィルタを使用してモアレ処理をすると、空間周波数の
高域部分だけでなく、文字を表現する中域、低域部分まで減少させてしまうため、中間調
画像と文字とが混在する原稿では、中間調画像のモアレを除去することができるが、同時
に、文字部分の解像度が低下してぼやけてしまうことになる。そこで、中間調画像と文字
とが混在する原稿の場合には、中間調画像部分のモアレを除去するとともに文字部分がぼ
やけないようにするために、ローパスフィルタの特性曲線を微妙に調節することが必要で
あった。このように、モアレを軽減するための画像調整作業は、原稿の内容に応じて操作
が異なるため、誰でも簡単に行うことができなかった。また、画像調整のためのパラメー
タが複数あるため、多くの組み合わせが存在し、すべての組み合わせで画質を確認するこ
とは、工数もかかり困難であった。
【０００６】
この問題を解決するために、例えば特許文献１には、モアレを軽減する程度が異なる複
数のモアレ除去用のフイルタを用意し、原稿の内容に応じて複数のフイルタを選択的に切
り替えて、選択されたフイルタを使用してモアレを軽減する画像処理を施す方法が記載さ
れている。
【０００７】
【特許文献１】特開２００１−３４６０４４号公報
【発明の開示】
【発明が解決しようとする課題】
【０００８】
しかしながら、特許文献１では、原稿の内容に応じて複数のフイルタを用意しなければ
ならず、作業効率を上げることができない。
【０００９】
本発明は、このような事情に鑑みてなされたものであり、原稿の種類に応じて、文字品
質を劣化させることなく、中間調画像のモアレを軽減することができる画像調整パラメー
タを効率的に決定できるようにした画像調整方法、画像調整装置および画像調整プログラ
ムを提供することを目的とするものである。
【課題を解決するための手段】
【００１０】
上記課題を解決するために、本発明の画像調整方法では、原稿を入力装置から読み込ん
だ画像データに対し、前記画像データのモアレを除去するためのモアレ除去パラメータと
、前記画像データのエッジを強調するためのエッジ強調パラメータと、からなる画像調整
パラメータをエッジ強調レベルおよびモアレ除去レベルの優先度に応じて調整し設定する
ための画像調整方法において、黒色以外の色で描かれた画像を前記入力装置から読み込ん
だ第１の画像データに対し、前記モアレ除去パラメータの値を固定にして前記エッジ強調
パラメータの値を変移させ、前記第１の画像データのエッジ部分の画素が黒くならない最
大の前記エッジ強調パラメータの値を求めるエッジ強調工程と、所定の線数のモアレを含
む画像を前記入力装置から読み込んだ第２の画像データに対し、エッジ強調パラメータの
値を固定にして前記モアレ除去パラメータの値を変移させ、前記第２の画像データのモア
レを除去できる前記モアレ除去パラメータの値を求めるモアレ除去工程と、からなり、第
１工程として、前記モアレ除去パラメータの値を初期値に設定し、前記エッジ強調パラメ
ータである第１のエッジ強調パラメータを求める前記エッジ強調工程を行い、続く第２工
程として、前記エッジ強調パラメータとして前記第１のエッジ強調パラメータを設定し、
前記モアレ除去パラメータである第１のモアレ除去パラメータを求める前記モアレ除去工
程を行い、続く第３工程として、前記モアレ除去パラメータとして前記第１のモアレ除去
パラメータを設定し、前記エッジ強調パラメータである第２のエッジ強調パラメータを求
める前記エッジ強調工程を行う、ことを要旨とする。
【００１１】
この構成によれば、写真などの自然画で主に描かれた原稿に対し、中間調画像のモアレ
を軽減することができる最適な画像調整パラメータを３つの工程で効率的に決定できる。
【００１２】
また、本発明の画像調整方法では、原稿を入力装置から読み込んだ画像データに対し、
前記画像データのモアレを除去するためのモアレ除去パラメータと、前記画像データのエ
ッジを強調するためのエッジ強調パラメータと、前記画像データの無彩色を調整する無彩
色パラメータと、からなる画像調整パラメータをエッジ強調レベルおよびモアレ除去レベ
ルの優先度に応じて調整し設定するための画像調整方法において、黒色以外の色で描かれ
た画像を前記入力装置から読み込んだ第１の画像データに対し、前記モアレ除去パラメー
タの値と前記無彩色パラメータの値を固定にして前記モアレ除去パラメータの値を変移さ
せ、前記第１の画像データのエッジ部分の画素が黒くならない最大の前記エッジ強調パラ
メータの値を求めるエッジ強調工程と、所定の線数のモアレを含む画像を前記入力装置か
ら読み込んだ第２の画像データに対し、前記エッジ強調パラメータの値と前記無彩色パラ
メータの値を固定にして前記モアレ除去パラメータの値を変移させ、前記第２の画像デー
タのモアレを除去できる前記モアレ除去パラメータの値を求めるモアレ除去工程と、黒文
字のみで描かれた画像を前記入力装置から読み込んだ第３の画像データに対し、前記モア
レ除去パラメータの値と前記エッジ強調パラメータの値を固定にして前記無彩色パラメー
タの値を変移させ、前記第３の画像データの黒文字が全て無彩色となる前記無彩色パラメ
ータの値を求める無彩色チェック工程と、からなり、第１工程として、前記モアレ除去パ
ラメータの値を初期値に設定し、前記無彩色パラメータの値を初期値に設定し、前記エッ
ジ強調パラメータである第１のエッジ強調パラメータを求める前記エッジ強調工程を行い
、続く第２工程として、前記エッジ強調パラメータとして前記第１のエッジ強調パラメー
タを設定し、前記モアレ除去パラメータである第１のモアレ除去パラメータを求める前記
モアレ除去工程を行い、続く第３工程として、前記モアレ除去パラメータとして前記第１
のモアレ除去パラメータを設定し、前記エッジ強調パラメータである第２のエッジ強調パ
ラメータを求める前記エッジ強調工程を行い、続く第４工程として、前記モアレ除去パラ
メータとして前記第１のモアレ除去パラメータを設定し、前記エッジ強調パラメータとし
て前記第２のエッジ強調パラメータを設定し、前記無彩色パラメータである第１の無彩色
パラメータを求める前記無彩色チェック工程を行い、続く第５工程として、前記モアレ除
去パラメータとして前記第１のモアレ除去パラメータを設定し、前記無彩色パラメータと
して前記第１の無彩色パラメータを設定し、前記エッジ強調パラメータである第３のエッ
ジ強調パラメータを求める前記エッジ強調工程を行う。
【００１３】
この構成によれば、文字や線で描かれた文書が優先される原稿に対し、文字品質を劣化
させることなく、中間調画像のモアレを軽減することができる最適な画像調整パラメータ
を５つの工程で効率的に決定できる。
【００１４】
また、本発明の画像調整方法では、前記モアレ除去レベルを優先させる場合は、前記第
１工程から前記第３工程までの処理を行い、前記エッジ強調レベルを優先させる場合は、
前記第１工程から前記第５工程までの処理を行う。
【００１５】
この構成によれば、文字や線で描かれた文書が優先される原稿の場合は、文字品質を劣
化させることなく、写真などの自然画で主に描かれた原稿の場合は、中間調画像のモアレ
を軽減することができる最適な画像調整パラメータを少ない工程で効率的に決定できる。
【００１６】
次に、本発明に係る画像調整装置は、上述した画像調整方法により画像調整を行う。
【００１７】
この構成によれば、文字や線で描かれた文書が優先される原稿の場合は、文字品質を劣
化させることなく、写真などの自然画で主に描かれた原稿の場合は、中間調画像のモアレ
を軽減することができる最適な画像調整パラメータを少ない工程で効率的に決定できる。
【００１８】
また、本発明に係る画像調整プログラムは、上述した画像調整方法により画像調整を行
う。
【００１９】
この構成によれば、文字や線で描かれた文書が優先される原稿の場合は、文字品質を劣
化させることなく、写真などの自然画で主に描かれた原稿の場合は、中間調画像のモアレ
を軽減することができる最適な画像調整パラメータを少ない工程で効率的に決定できる。
【発明を実施するための最良の形態】
【００２０】
以下、本発明を具体化した実施形態について図面に従って説明する。
（第１実施形態）
【００２１】
＜画像調整装置の構成＞
まず、第１実施形態に係る画像調整装置の構成について、図１を参照して説明する。図
１は、本発明に係る画像調整装置１の全体構成を示す図である。画像調整装置１は、図１
（Ａ）に示すように複写装置１０とパーソナルコンピュータ５０から構成されている。図
１（Ｂ）は複写装置の外形を示した図である。図１（Ａ）、（Ｂ）に示すように、複写装
置１０は、スキャナ２０とプリンタ４０とそれらに接続されたコピー操作ユニット３０と
によって構成されている。パーソナルコンピュータ５０は、複写装置１０のコピー操作ユ
ニット３０とネートワークケーブルなどにより相互に接続されている。パーソナルコンピ
ュータ５０のＲＯＭまたはハードディスク（図示しない）には、後述する本発明に係る画
像調整プログラムが格納されている。
【００２２】
図２は入力装置であるスキャナ２０のブロック図である。スキャナ２０は、ＡＤＦ（Au
to Document Feeder）にセットされている原稿を原稿読取部に搬送し、その原稿上の画像
を読みとる装置である。このとき、読みとった画像は入力画像データによって表現され、
複数の画素によって画像を構成するとともに画素毎にＲＧＢ（レッド、グリーン、ブルー
）の各色濃度を階調表現している。スキャナ２０は、ＣＰＵ２１、ＲＡＭ２２、ＲＯＭ２
３を備えており、ＣＰＵ２１はＲＡＭ２２をワークメモリとしながらＲＯＭ２３に格納さ
れた制御プログラムを実行する。これにより、スキャナ２０における読取動作を実現する
。
【００２３】
具体的には、読取部２４ａが原稿に光を照射する光源（ＬＥＤ等）とその反射光を検出
するセンサ（ＣＣＤ等）と原稿の搬送機構とを備えており、ＣＰＵ２１はデバイスコント
ローラ２４を介して当該読取部２４ａを制御する。これにより、原稿の搬送および原稿上
に記録された内容のデジタルデータ化が行われる。すなわち、ＲＧＢ毎の入力画像データ
が生成される。インターフェイス２６は、接続線を介してコピー操作ユニット３０へ各種
データを送信するインターフェイスであり、上記ＣＰＵ２１の処理によって入力画像デー
タや画像調整パラメータを送信する。
【００２４】
画像調整パラメータ保持部２５には、スキャナ２０による読取結果として得られる入力
画像データをＬ*ａ*ｂ*表色系の座標値に変換するためのプロファイルが記録されている
。また、画像調整パラメータはスキャナ２０にて読み取る原稿の種別毎に予め作成されて
おり、当該原稿の種別毎に保持されている。尚、画像調整パラメータ保持部２５はプロフ
ァイルを示すデータを保持することができれば良く、マスクＲＯＭでも良いし、ＥＥＰＲ
ＯＭ等の書き換え可能なメモリであっても良い。
【００２５】
図３はコピー操作ユニット３０のブロック図である。コピー操作ユニット３０は、スキ
ャナ２０と同様にＣＰＵ３１、ＲＡＭ３２、ＲＯＭ３３のプログラム実行環境を備えてお
り、ＣＰＵ３１は、ＲＡＭ３２をワークメモリとしながらＲＯＭ３３に格納された制御プ
ログラムを実行する。コピー操作ユニット３０は、ユーザに対してコピー条件等を提示し
、また、ユーザからの操作を受け付ける処理を担う。
【００２６】
このために、ハードディスクやＥＥＰＲＯＭ等の記憶手段によって構成されるデータ保
持部３４および原稿種別や印刷用紙の大きさなどユーザに情報を提供する表示部３５（Ｌ
ＣＤ等）とユーザ所望の情報を入力するための操作部３６（押しボタンやタッチパネル等
）とを備えている。ＣＰＵ３１は、これら表示部３５や操作部３６に対する制御を行う他
、データ保持部３４に保持されたデータとスキャナ２０とプリンタ４０に保持された画像
調整パラメータとを参照して補正処理を行う。
【００２７】
すなわち、データ保持部３４には予め原稿の種別毎に閾値を示すデータ、明度変化の様
子を示す明度データが保持されており、ＣＰＵ３１はこれらのデータを参照する。さらに
、インターフェイス３８を介してスキャナ２０から画像調整パラメータを取得し、プリン
タインターフェイス３７を介してプリンタ４０から後述するプリンタプロファイルを取得
し、これらのデータに基づいて補正処理を行う。
【００２８】
また、外部インターフェィス３９を介してスキャナ２０で取得した入力画像データと画
像調整パラメータをパーソナルコンピュータ５０に送信し、パーソナルコンピュータ５０
から画像調整パラメータを取得する。
【００２９】
図４は、プリンタ４０のブロック図である。同図において、ＣＰＵ４１は、ＲＡＭ４２
をワークメモリとして使用しながらＲＯＭ４３に格納された制御プログラムを実行する。
また、所定の画像処理は画像処理部４４（カスタムＩＣ等）によって実施され、印刷用紙
に対して記録材を記録する処理はデバイスコントローラ４５およびプリントエンジン４５
ａによって実施される。
【００３０】
すなわち、ＣＰＵ４１は、コピー操作ユニット３０からの指示に基づき、データの授受
処理を行い、適宜画像処理を実施させる処理を担っており、コピー操作ユニット３０が出
力する出力画像データを取得すると、出力画像データに対する処理を画像処理部４４に実
施させる。画像処理部４４は、プロファイルを参照した色変換とハーフトーン処理を実施
するＩＣであり、上記出力画像データが示す色を出力するための記録材量を特定したハー
フトーンデータを生成する。
【００３１】
尚、記録材の色は特に限定されないが、例えば、ＣＭＹＫ（シアン、マゼンタ、イエロ
ー、ブラック）を採用可能である。この場合、画像処理部４４は、ＲＧＢ表色系の出力画
像データについて色変換し、ＣＭＹＫの各色について記録材使用量に対応した階調値を生
成し、この階調値の階調数を減少させてハーフトーンデータを生成する。
【００３２】
プリントエンジン４５ａは、図示しない感光体ユニットや露光ユニット、現像ユニット
、印刷用紙の搬送ユニット等を備えており、ハーフトーンデータに従って、感光体にトナ
ーを転写し、さらに印刷用紙にトナーを転写して定着させることによって印刷を実行する
。
当該プリントエンジン４５ａはデバイスコントローラ４５によって制御され、デバイス
コントローラ４５は上記ハーフトーンデータを受け取って、当該ハーフトーンデータに従
って記録材を記録するように各ユニットを制御する。
【００３３】
画像処理部４４による色変換処理は、ＥＥＰＲＯＭ等のプロファイル保持部４６に保持
されたプロファイルを参照しながら実施される。プロファイル保持部４６には、印刷条件
に対応した２種類のプロファイルが記録されており、上記出力画像データ（ＲＧＢ値）と
Ｌ*ａ*ｂ*表色系との座標値を対応づけたプリンタプロファイルと、当該出力画像データ
と記録材（トナー）の色を色成分とした色空間の座標値とを対応づけたトナー変換プロフ
ァイルとが記録されている。
【００３４】
画像処理部４４は、上記トナー変換プロファイルを参照して、記録材の色を色成分とし
た色空間の座標値を取得する。この色変換の結果、上記出力画像データが示す色で画像を
形成するための記録材の使用量が特定される。プリンタプロファイルはＣＰＵ４１の制御
によってコピー操作ユニット３０に送信され、補正処理を行う。
【００３５】
＜画像調整プログラムの構成＞
次に、本実施形態の画像調整プログラムの構成について図５を参照して説明する。図５
は、本実施形態の画像調整プログラムを説明するフローチャートである。図５に示すよう
に画像調整プログラムは、エッジ強調工程１００と、モアレ除去工程２００と、無彩色チ
ェック工程３００と、から構成されている。
【００３６】
また、エッジ強調工程１００では、チェック用の画像として図６（Ａ）に示す黒以外の
色で描かれた第１の画像データであるＲＧＢ画像データ１１０をスキャナ２０から読み込
んでエッジ強調パラメータの調整を行う。また、モアレ除去工程２００では、チェック用
の画像として図６（Ｂ）に示す所定の線数（日本仕様の場合１７５線、米国仕様の場合１
３０線）のモアレを含む第２の画像データであるモアレ画像データ２１０をスキャナ２０
から読み込んでモアレ除去パラメータの調整を行う。また、無彩色チェック工程３００で
は、チェック用の画像として図６（Ｃ）に示す黒文字のみで描かれた第３の画像データで
ある白黒画像データ３１０をスキャナ２０から読み込んで無彩色パラメータの調整を行う
。
【００３７】
図５において、ｓｈａｒｐＭａｘは、エッジ強調パラメータであり、Ｅｄｇｅ＿ｔｈｒ
＿ｃｏｌｏｒ＿ＨとＥｄｇｅ＿ｔｈｒ＿ｃｏｌｏｒ＿Ｌは、それぞれモアレ除去パラメー
タの上限の閾値と下限の閾値であり、ｃｏｌｏｒ＿ｔｈｒ＿Ｌは、無彩色パラメータの下
限の閾値である。
【００３８】
エッジ強調工程１００は、ＲＧＢ画像データ１１０をスキャナ２０から読み込んだ画像
データをパーソナルコンピュータ５０に転送し、モアレ除去パラメータＥｄｇｅ＿ｔｈｒ
＿ｃｏｌｏｒ＿Ｈ及びＥｄｇｅ＿ｔｈｒ＿ｃｏｌｏｒ＿Ｌと無彩色パラメータｃｏｌｏｒ
＿ｔｈｒ＿Ｌの値を固定にし、エッジ強調パラメータｓｈａｒｐＭａｘの値を調整し、画
像データのエッジ部分の画素のＲＧＢ値が黒に近い値（Ｒ≒０、Ｇ≒０、Ｂ≒０）になら
ないエッジ強調パラメータｓｈａｒｐＭａｘの最大値を求める。
【００３９】
モアレ除去工程２００は、モアレ画像データ２１０をスキャナ２０から読み込んだ画像
データをパーソナルコンピュータ５０に転送し、エッジ強調パラメータｓｈａｒｐＭａｘ
と無彩色パラメータｃｏｌｏｒ＿ｔｈｒ＿Ｌの値を固定にし、モアレ除去パラメータＥｄ
ｇｅ＿ｔｈｒ＿ｃｏｌｏｒ＿Ｈ及びＥｄｇｅ＿ｔｈｒ＿ｃｏｌｏｒ＿Ｌの値を調整し、画
像データのモアレが除去できるモアレ除去パラメータＥｄｇｅ＿ｔｈｒ＿ｃｏｌｏｒ＿Ｈ
及びＥｄｇｅ＿ｔｈｒ＿ｃｏｌｏｒ＿Ｌの値を求める。
【００４０】
無彩色チェック工程３００は、白黒画像データ３１０をスキャナ２０から読み込んだ画
像データをパーソナルコンピュータ５０に転送し、モアレ除去パラメータＥｄｇｅ＿ｔｈ
ｒ＿ｃｏｌｏｒ＿Ｈ及びＥｄｇｅ＿ｔｈｒ＿ｃｏｌｏｒ＿Ｌとエッジ強調パラメータｓｈ
ａｒｐＭａｘの値を固定にし、無彩色パラメータｃｏｌｏｒ＿ｔｈｒ＿Ｌの値を調整し、
画像データのすべての画素が無彩色となる無彩色パラメータｃｏｌｏｒ＿ｔｈｒ＿Ｌの値
を求める。
【００４１】
次に、図５を参照して画像調整プログラムの動作について説明する。画像調整プログラ
ムの処理は、原稿の種類毎にそれぞれ行い、原稿の種類毎に画像調整パラメータの値を求
める。原稿の種類は、文字や線で描かれた文書が優先される原稿と、写真などの自然画で
主に描かれた原稿などがある。文字や線で描かれた文書が優先される原稿の場合は、エッ
ジが強調され、写真などの自然画で主に描かれた原稿の場合は、モアレ除去が優先される
。
【００４２】
先ず、ステップＳ１００（第１工程）では、モアレ除去パラメータの値をＥｄｇｅ＿ｔ
ｈｒ＿ｃｏｌｏｒ＿Ｈ＝２５５、Ｅｄｇｅ＿ｔｈｒ＿ｃｏｌｏｒ＿Ｌ＝０、無彩色パラメ
ータの値をｃｏｌｏｒ＿ｔｈｒ＿Ｌ＝０に設定し、エッジ強調工程１００を行い、第１の
エッジ強調パラメータであるエッジ強調パラメータｓｈａｒｐＭａｘ＝ｓｈａｒｐＭａｘ
１を求める。
【００４３】
次に、ステップＳ１１０（第２工程）では、無彩色パラメータの値をｃｏｌｏｒ＿ｔｈ
ｒ＿Ｌ＝０、エッジ強調パラメータの値をステップＳ１００で求めたｓｈａｒｐＭａｘ＝
ｓｈａｒｐＭａｘ１に設定し、モアレ除去工程２００を行い、第１のモアレ除去パラメー
タであるモアレ除去パラメータＥｄｇｅ＿ｔｈｒ＿ｃｏｌｏｒ＿Ｈ＝Ｅｄｇｅ＿ｔｈｒ＿
ｃｏｌｏｒ＿Ｈ１、Ｅｄｇｅ＿ｔｈｒ＿ｃｏｌｏｒ＿Ｌ＝Ｅｄｇｅ＿ｔｈｒ＿ｃｏｌｏｒ
＿Ｌ１を求める。
【００４４】
次に、ステップＳ１２０（第３工程）では、モアレ除去パラメータの値をステップＳ１
１０で求めたＥｄｇｅ＿ｔｈｒ＿ｃｏｌｏｒ＿Ｈ＝Ｅｄｇｅ＿ｔｈｒ＿ｃｏｌｏｒ＿Ｈ１
、Ｅｄｇｅ＿ｔｈｒ＿ｃｏｌｏｒ＿Ｌ＝Ｅｄｇｅ＿ｔｈｒ＿ｃｏｌｏｒ＿Ｌ１、無彩色パ
ラメータの値をｃｏｌｏｒ＿ｔｈｒ＿Ｌ＝０に設定し、エッジ強調工程１００を行い、第
２のエッジ強調パラメータであるエッジ強調パラメータｓｈａｒｐＭａｘ＝ｓｈａｒｐＭ
ａｘ２を求める。
【００４５】
次に、ステップＳ１３０では、原稿の種類が文字・線優先か否かを判定し、文字・線優
先の場合は、ステップＳ１４０に移行し、文字・線優先でない場合は、ステップＳ１６０
に移行する。
【００４６】
次に、ステップＳ１４０（第４工程）では、モアレ除去パラメータの値をステップＳ１
１０で求めたＥｄｇｅ＿ｔｈｒ＿ｃｏｌｏｒ＿Ｈ＝Ｅｄｇｅ＿ｔｈｒ＿ｃｏｌｏｒ＿Ｈ１
、Ｅｄｇｅ＿ｔｈｒ＿ｃｏｌｏｒ＿Ｌ＝Ｅｄｇｅ＿ｔｈｒ＿ｃｏｌｏｒ＿Ｌ１、エッジ強
調パラメータの値をステップＳ１２０で求めたｓｈａｒｐＭａｘ＝ｓｈａｒｐＭａｘ２に
設定し、無彩色チェック工程３００を行い、第１の無彩色パラメータである無彩色パラメ
ータの値ｃｏｌｏｒ＿ｔｈｒ＿Ｌ＝ｃｏｌｏｒ＿ｔｈｒ＿Ｌ１を求める。
【００４７】
次に、ステップＳ１５０（第５工程）では、モアレ除去パラメータの値をステップＳ１
１０で求めたＥｄｇｅ＿ｔｈｒ＿ｃｏｌｏｒ＿Ｈ＝Ｅｄｇｅ＿ｔｈｒ＿ｃｏｌｏｒ＿Ｈ１
、Ｅｄｇｅ＿ｔｈｒ＿ｃｏｌｏｒ＿Ｌ＝Ｅｄｇｅ＿ｔｈｒ＿ｃｏｌｏｒ＿Ｌ１、無彩色パ
ラメータの値をステップＳ１４０で求めたｃｏｌｏｒ＿ｔｈｒ＿Ｌ＝ｃｏｌｏｒ＿ｔｈｒ
＿Ｌ１に設定し、エッジ強調工程１００を行い、第３のエッジ強調パラメータであるエッ
ジ強調パラメータｓｈａｒｐＭａｘ＝ｓｈａｒｐＭａｘ３を求める。
【００４８】
次に、ステップＳ１６０では、これまでに得られた画像調整パラメータであるモアレ除
去パラメータ、無彩色パラメータ、エッジ強調パラメータの値をパーソナルコンピュータ
５０からコピー操作ユニット３０に転送し、原稿をスキャナ２０から読み込んだ画像デー
タをパーソナルコンピュータ５０に転送し、画像データの画質の最終確認を行う。確認内
容は、原稿の種類に応じ、文字や線で描かれた文書が優先される原稿の場合は、文字や線
がぼやけていないか、写真などの自然画で主に描かれた原稿の場合は、モアレが出ていな
いかを確認する。
【００４９】
次に、ステップＳ１７０では、ステップＳ１６０の確認結果がＯＫか否かを判定し、Ｏ
Ｋの場合は、処理を終了し、ＯＫでない場合は、ステップＳ１８０に移行し、画像調整パ
ラメータの微調整を行う。
【００５０】
以上に述べた前記実施形態によれば、以下の効果が得られる。
【００５１】
本実施形態では、文字や線で描かれた文書が優先される原稿の場合は、文字品質を劣化
させることなく、写真などの自然画で主に描かれた原稿の場合は、中間調画像のモアレを
軽減することができる最適な画像調整パラメータを少ない工程で効率的に決定できる。
【００５２】
以上、本発明の実施形態を説明したが、本発明はこうした実施の形態に何ら限定される
ものではなく、本発明の趣旨を逸脱しない範囲内において様々な形態で実施し得ることが
できる。以下、変形例を挙げて説明する。
【００５３】
（変形例１）本発明に係る画像調整装置の第１変形例について説明する。前記第１実施
形態では、画像調整装置１は、複写装置１０とパーソナルコンピュータ５０から構成され
るように説明したが、複写装置１０は、単体のスキャナ２０でも構わない。
【図面の簡単な説明】
【００５４】
【図１】画像調整装置の全体構成を示す図。
【図２】スキャナのブロック図。
【図３】コピー操作ユニットのブロック図。
【図４】プリンタのブロック図。
【図５】本実施形態の画像調整プログラムを説明するフローチャート。
【図６】（Ａ）はＲＧＢ画像データ、（Ｂ）はモアレ画像データ、（Ｃ）は白黒画像データ。
【符号の説明】
【００５５】
１…画像調整装置、１０…複写装置、２０…スキャナ、２１…ＣＰＵ、２２…ＲＡＭ、
２３…ＲＯＭ、２４…デバイスコントローラ、２４ａ…読取部、２５…画像調整パラメー
タ保持部、２６…インターフェイス、３０…コピー操作ユニット、３１…ＣＰＵ、３２…
ＲＡＭ、３３…ＲＯＭ、３４…データ保持部、３５…表示部、３６…操作部、３７…プリ
ンタインターフェイス、３８…インターフェイス、３９…外部インターフェイス、４０…
プリンタ、４１…ＣＰＵ、４２…ＲＡＭ、４３…ＲＯＭ、４４…画像処理部、４５…デバ
イスコントローラ、４５ａ…プリントエンジン、４６…プロファイル保持部、４７…イン
ターフェイス、５０…パーソナルコンピュータ、１００…エッジ強調工程、２００…モア
レ除去工程、３００…無彩色チェック工程、１１０…ＲＧＢ画像データ、２１０…モアレ
画像データ、３１０…白黒画像データ。
【図１】
2007124287.tif 000003
【図２】
2007124287.tif 000004
【図３】
2007124287.tif 000005
【図４】
2007124287.tif 000006
【図５】
2007124287.tif 000007
【図６】
2007124287.tif 000008